(57)【要約】【課題】遊戯課題達成時の爽快感を遊戯者に与えることができ、かつ、初心者である遊戯者にも遊戯課題を達成できそうであると感じさえることができ、さらに、多くの景品獲得ゲーム機の中でも遊戯者の注目を得られるような景品獲得ゲーム機を提供する。【解決手段】少なくとも一部が透明または半透明の素材で遮蔽された遊戯空間内に遊戯者の操作によって少なくとも２方向に移動可能な遊戯手段を備えた景品獲得ゲーム機において、該遊戯手段に略円形または略多角形形状の開口部を備えたキャップ体と、該キャップ体の開口部の中心部付近にその先端部を設定可能な針状体を備え、該遊戯空間内には膨らませた風船が載置可能とされた風船載置台を備えた景品獲得ゲーム機とする。膨らませた風船には景品吊下ロープが取り付けられ、その下端には景品が吊下展示される。遊戯手段によって風船が破裂させられると、景品が落下して払い出される。【選択図】図１
2018019979.tif 000002
【特許請求の範囲】
【請求項１】
少なくとも一部が透明または半透明の素材で遮蔽された遊戯空間内に、遊戯者の操作によって少なくとも２方向に移動可能な遊戯手段を備え、該遊戯空間内に配置された景品を遊戯者に払い出し可能である景品獲得ゲーム機において、
該遊戯手段には、キャップ体と針状体を備え、
該キャップ体は略円形または略多角形形状の開口部を備え、
該針状体はその先端部を該キャップ体の開口部の中心部付近に設定可能とされ、
該遊戯空間内には膨らませた風船が載置可能とされた風船載置台を備え、
該風船載置台下部には、該風船に接続された景品吊下ロープに取り付けられた景品を遊戯者から視認可能な状態で吊下展示可能とされている
ことを特徴とする、景品獲得ゲーム機。
【請求項２】
少なくとも一部が透明または半透明の素材で遮蔽された遊戯空間内に、遊戯者の操作によって少なくとも２方向に移動可能な遊戯手段を備え、該遊戯空間内に配置された景品を遊戯者に払い出し可能である景品獲得ゲーム機に取り付け可能な景品獲得ゲーム機用キットにおいて、
該遊戯手段に取り付け可能とされた、キャップ体と針状体と、
該遊戯空間内に取り付け可能とされた、風船載置台と、
からなり、
該キャップ体は略円形または略多角形形状の開口部を備え、
該針状体はその先端部を該キャップ体の開口部の中心部付近に設定可能とされ、
該風船載置台下部には、該風船に接続された景品吊下ロープに取り付けられた景品を遊戯者から視認可能な状態で吊下展示可能とされている、
ことを特徴とする、景品獲得ゲーム機用キット。
【請求項３】
前記針状体は遊戯手段にネジ機構によって取り付けられており、前記キャップ体開口部からの該針状体の突出量を調整可能とされている
ことを特徴とする、請求項１に記載の景品獲得ゲーム機または請求項２のいずれか一の請求項に記載の景品獲得ゲーム機用キット。
【請求項４】
前記針状体は注射針とされている、
ことを特徴とする、請求項１乃至請求項３のいずれか一の請求項に記載の景品獲得ゲーム機、または、景品獲得ゲーム機用キット。
【請求項５】
前記キャップ体は透明樹脂製とされている、
ことを特徴とする、請求項１乃至請求項４のいずれか一の請求項に記載の景品獲得ゲーム機、または、景品獲得ゲーム機用キット。
【請求項６】
前記キャップ体がワイヤフレームによって構成されている、
ことを特徴とする、請求項１乃至請求項４のいずれか一の請求項に記載の景品獲得ゲーム機、または、景品獲得ゲーム機用キット。
【請求項７】
前記風船載置台は、前記遊戯空間内に設けられた風船載置台支持パイプ上に取り付け可能とされている、
ことを特徴とする、請求項１乃至請求項６のいずれか一の請求項に記載の景品獲得ゲーム機、または、景品獲得ゲーム機用キット。
【請求項８】
前記風船載置台には、遊戯空間内で遊戯者から見て風船載置部の左右それぞれに景品姿勢保持具を取り付け可能とされた景品姿勢保持具固定部が設けられている
ことを特徴とする、請求項１乃至請求項７のいずれか一の請求項に記載の景品獲得ゲーム機、または、景品獲得ゲーム機用キット。
【発明の詳細な説明】
【技術分野】
【０００１】
本発明は、主にゲームセンターなどの遊戯施設に設置される業務用景品獲得ゲーム機に関する。より詳しくは、遊戯者の操作によって制御される可動部を備え、これを用いて遊戯者が一定の課題を達成すれば景品が払い出される業務用景品獲得ゲーム機に関するものである。
【背景技術】
【０００２】
近年、ゲームセンターなどの遊戯施設には様々な景品獲得ゲーム機が設置され、遊戯者に楽しまれている。ここで、景品獲得ゲーム機とは、景品獲得ゲーム機の筐体に備えられた可動部を、同筐体が備えるボタンなどの操作手段を遊戯者に操作させることで一定の課題（以下、「遊戯課題」という）の達成に挑戦させ、この課題を首尾よく達成すれば遊戯者に景品が払い出されるというものである。
【０００３】
景品獲得ゲーム機としてさまざまなものが提供されているが、これらの中でも、本願発明の発明者の創作及び発明に係る意匠登録第１２０８７３５号公報に開示されている景品獲得ゲーム機、及び、特開２０１０−１８４１２９公開特許公報の図１に開示されている景品獲得ゲーム機は、多くの遊戯施設に導入されて広く楽しまれるに至っている特に人気の高い景品獲得ゲーム機である。これらの実施例は図７乃至図９に示すとおりであり、以下、これらをそれぞれ「プッシャーゲーム機」、「カットゲーム機」と呼ぶ。
【０００４】
図７にプッシャーゲーム機（１）の一実施形態を示す。これは、少なくとも一部が透明または半透明の遊戯空間（４）を備え、該遊戯空間内の奥側壁面より突出するように設けられた景品載置板（１７）に載置された景品（５）を遊戯者に払い出し可能である景品獲得ゲーム機であって、該遊戯空間上部に遊戯者の操作によって水平面内の２方向に移動可能な伸縮棒を備える遊戯手段（６）を備えており、該遊戯手段（６）は遊戯者の操作によって水平面内で位置決めされたのちに、伸縮棒が上下方向に伸縮する。遊戯空間下部には標的穴（１８）が設けられている。景品載置板（１７）は、奥側壁面に例えば蝶番によって枢結されており、適当な位置で支持されることでほぼ水平状態を保持可能とされている為、その上部に景品（５）を載置することが出来る。遊戯者の操作により伸縮棒が伸縮して首尾よく標的穴（１８）を通過すれば、景品載置板（１７）の支持が解除され、景品載置板（１７）が落ちて（枢結軸を中心に回転してほぼ垂直状態となる）載置されていた景品（５）が落下し、景品取出口（２）から遊戯者に払い出されるのである。
【０００５】
プッシャーゲーム機は、遊戯手段の備える伸縮棒を標的穴に通過させるという遊戯課題の明快さに優れ、また、景品載置板に載置できる限りにおいて大型景品や異形景品であっても問題なく景品として使用できるなど優れた特徴を備えている。しかし、伸縮棒が標的穴を通過することと、景品載置板が落ちて景品が払い出されることの間には、これらをつなぐプロセスが介在している。特にこのプロセスが、遊戯者の目に見えない電子的なものの場合には、遊戯者に胡散臭さのような印象を与えてしまう場合がありえる。このようなことを極力避けるため、このプロセスを純粋に機械的で遊戯者が視認して理解可能な仕組みによってのみ構成するなどの工夫がなされることもあるが、若干の回りくどさは感じられ、遊戯課題達成時の爽快感がやや劣ることを否めない。
【０００６】
次に、カットゲーム機の一実施形態を図８に示す（部分詳細説明に図９も使用する）。カットゲーム機（１）では、少なくとも一部が透明または半透明の素材で遮蔽された遊戯空間（４）の上部から景品（５）をロープ（９）で吊下展示する。なお、ロープ（９）はその名称に関わらず、様々な素材・太さの紐状の物品が使用されることがある。そして、同じく遊戯空間内に遊戯者が操作手段（３）を操作することによって少なくとも２方向に移動可能とされ、かつ、ロープを切断可能な切断手段（１０）を備えた遊戯手段（６）を備えている。
【０００７】
カットゲーム機の遊戯の様子は図９に示すとおりである。（Ａ）に示すように初期位置にある遊戯手段（６）を、遊戯者が適切に操作して、遊戯手段（６）の備える切断手段（１０）がロープ（９）を切断できる位置に誘導することが遊戯課題である。（Ｂ）には適切に遊戯手段が誘導された状態を示しており、この後、切断手段（１０）が稼動してロープ（９）を切断する。すると、（Ｃ）に示すように、ロープ（９）に吊下展示されていた景品（５）は落下し、カットゲーム機下部に備えられた景品払出口（２）より遊戯者に払い出されるのである。
【０００８】
カットゲーム機では、遊戯手段の備える切断手段によってロープを切断するという遊戯課題が、ロープによって吊下展示されていた景品の払い出しとまさに直結しており、遊戯課題達成時の爽快感にきわめて優れている。また、ロープには様々な大きさや形状の景品を吊下展示することが可能であるので、使用する景品選択の自由度の点でも優れている。しかし、ロープを切断するという遊戯課題は、特に初心者である遊戯者にとって難度が高く感じられることが多い。現実には、プッシャーゲーム機において遊戯手段の備える伸縮棒を標的穴に通過させるために必要な位置決め精度も、カットゲーム機において遊戯手段の備える切断手段がロープを切断するために必要な位置決め精度も、遊戯施設の設定次第で変更できるものであり、どちらが難度が高いという類のものではない。しかし、細いロープは標的として小さく感じられ、したがって初心者である遊戯者にとって遊戯を躊躇させるほどに難度が高く感じられることは如何ともし難い点である。
【０００９】
ところで、特開２００２−２８２５２９公開特許公報の図１３に開示された発明は示唆的である。同発明は、風船にロープを取り付けて、このロープに景品を吊下げる。そして、膨らました風船を適当な保持部に引っ掛けるように支持することで、景品を吊下展示する。膨らませた風船の前面には標的穴を備えたシールド板が設けられており、遊戯者は鋭角部材を備えた遊戯手段を操作して、遊戯手段を標的穴に通過させることが遊戯課題とされている。遊戯者の操作により遊戯手段が標的穴を首尾よく通過すると、これの備える鋭角部材で膨らんだ風船が割られることとなり、これによって風船は支持を失い、吊下展示していた景品と共に落下して遊戯者に払い出されるというものである。
【００１０】
膨らんだ風船を突起部材で割ることで景品を落下させ払い出すという構成は、遊戯者から見て非常に直感的であり、また、遊戯課題の達成がそのまま景品の払い出しとなることから、遊戯課題達成時の爽快感も大きいと想像される。また、膨らました風船はボリューム感が感じられる大きな的であって、初心者の遊戯者であっても、これを狙うのであれば自分でも達成できそうだ、という遊戯意欲を感じさせられるものである。また、様々な色彩や模様を備えたボリューム感ある風船が遊戯者の目を引き易く、これを用いた景品獲得ゲーム機は遊戯者の興味をひきつけ易いことは容易に想像できることである。
【００１１】
しかし、同景品獲得ゲーム機のシールド板に備えられた標的穴に遊戯手段を通過させるという遊戯課題は、プッシャーゲーム機と実質的に同じものである。膨らんだ風船は、感覚的に大きな的であって、初心者の遊戯者であっても遊戯手段によって容易に狙えそうな印象を与えることはできるものの、シールド板に備えられた標的穴を通過させなければならないとなると、大きな風船に対する小さな標的穴の対比により、プッシャーゲーム機の場合よりも難度が高く感じられてしまうことは同景品獲得ゲーム機の大きな課題である。
【先行技術文献】
【特許文献】
【００１２】
【特許文献１】意匠登録第１２０８７３５号意匠公報
【特許文献２】特開１０−１８４１２９号公開特許公報
【特許文献３】特開２００２−２８２５２９号公開特許公報
【発明の概要】
【発明が解決しようとする課題】
【００１３】
本発明が解決しようとする課題は、以上説明した課題を解決した景品獲得ゲーム機を提供することである。すなわち、カットゲーム機のような遊戯課題達成時の爽快感を遊戯者に与えることができ、かつ、初心者である遊戯者にも遊戯課題を達成できそうであると感じさせることができ、さらに、多くの景品獲得ゲーム機の中でも遊戯者の注目を得られるような景品獲得ゲーム機を提供することを、本発明が解決しようとする課題としている。
【課題を解決するための手段】
【００１４】
（１）以上説明した課題を解決するため、本発明においては、
少なくとも一部が透明または半透明の素材で遮蔽された遊戯空間内に、遊戯者の操作によって少なくとも２方向に移動可能な遊戯手段を備え、該遊戯空間内に配置された景品を遊戯者に払い出し可能である景品獲得ゲーム機において、
該遊戯手段には、キャップ体と針状体を備え、
該キャップ体は略円形または略多角形形状の開口部を備え、
該針状体はその先端部を該キャップ体の開口部の中心部付近に設定可能とされ、
該遊戯空間内には膨らませた風船を載置可能とされた風船載置台を備え、
該風船載置台下部には、該風船に接続された景品吊下ロープに取り付けられた景品を遊戯者から視認可能な状態で吊下展示可能とされている、
ことを特徴とする、景品獲得ゲーム機としている。
【００１５】
透明または半透明の素材で遮蔽された遊戯空間内で遊戯者が遊戯手段を操作して一定の遊戯課題に取り組むという景品獲得ゲーム機は従来から多く実用に供されている。本発明に係る景品獲得ゲーム機では、遊戯手段で狙うべき標的が風船であるため、そのような景品獲得ゲーム機の中にあっても、曲面からなる立体的な標的を狙わなければならないという特色がある。立体的な標的である風船の頂上に遊戯手段を誘導するには、遊戯者の操作によって少なくとも二方向に遊戯手段を移動可能でなければならない。従って、本発明に係る景品獲得ゲーム機は、遊戯者の操作によって少なくとも２方向に移動可能な遊戯手段を備えていることを特徴とする。
【００１６】
なお、遊戯者の操作によって遊戯手段が移動された後に、遊戯者の操作によらずに遊戯手段が自動的に動作するよう設定されている。具体的には、遊戯手段のうち、後に説明するキャップ体や針状体を供えた部分が遊戯者が遊戯手段を操作可能な２方向とは垂直な方向（例えば、遊戯者が遊戯手段を操作可能な２方向が水平面内方向である場合には、下方向などである）に伸張して、これらが標的に命中するかどうかの判定が行なわれる。従って、遊戯者の操作によらない動きを含めれば、本発明に係る景品獲得ゲーム機の遊戯手段は３方向に移動可能ということになる。
【００１７】
前記の通り、遊戯手段や遊戯者の操作によって少なくとも水平面内の２方向（例えば、遊戯者から見て左側から右側に向かう方向と奥側から手前側に向かう方向の２方向）に移動可能とされているが、これに加えて遊戯手段の一部分はこれら２方向と異なる第３の方向（例えば、下方向）に伸張可能とされている。この伸張可能部分には、キャップ体と針状体を備えている。以下、説明の都合上、遊戯手段の一部分が伸張する方向は鉛直下方向であるとして説明を行うが、これとは異なる方向とした形態とすることも自由であり、このような形態も本発明に含まれることは言うまでもない。
【００１８】
さて、針状体は文字通り針のような尖った先端を備えた部品であり、この尖った先端は下側を向けて取り付けられている。遊戯者が適切に水平面内の２方向で遊戯手段を移動して位置決めしていれば、ここから鉛直下方向に伸張した遊戯手段の先端に備えられた針状体が標的に命中すれば、つまり、膨らまされた風船に突き刺されば、これによって風船は破裂して遊戯課題達成となる。ところで、風船はそれなりの大きさのものを使用することが好ましい。あまりに小さい風船を使用したのでは、遊戯者への視覚を通じた訴求が十分になされないし、そもそも景品を風船から景品吊下ロープで吊下展示することも困難になってしまうからである。しかし、風船そのものは標的として相当に大きいものであり、標的穴を備えたシールド板のようなものを使用しない場合には、あまりにも遊戯課題の難度が低くなってしまう。これでは、景品獲得の難度が低くなりすぎて遊戯施設が適切な利益を確保することが困難になる他、遊戯性にも欠けて早期に飽きられてしまうことになる。
【００１９】
キャップ体はこの問題を解消するものである。キャップ体は、典型的には傘状または円管状の構造であって、針状体を囲むように遊戯手段に備えられる。典型的な実施形態は、図２に示すようであり、図にも表れている通りキャップ体の開口部中心部付近に針状体の先端部が位置するように取り付けられる。
【００２０】
キャップ体の働きは図３を参照すれば容易に理解される。同図は遊戯手段で狙うべき風船と、針状体とキャップ体を備えた遊戯手段の一部を横方向から観察した様子を示す説明図である。遊戯者が遊戯手段を適切な位置に誘導した場合、すなわち、標的である風船の頂上部真上に遊戯手段を誘導した場合には、その後、遊戯手段の一部が伸張して風船に接触した瞬間は図３（Ａ）のようになる。風船表面は丸みを帯びており、風船の頂上部はもっとも上方向に突き出た部分になっているので、キャップ体はなんら障害にならず、針状体の先端が風船の頂上部を貫くことになる。もちろん、この場合は風船は破裂して景品と共に落下して遊戯者に払い出されることになる。
【００２１】
一方、遊戯者が遊戯手段を標的である風船の頂上部真上に誘導できなかった場合、遊戯手段の一部が伸張して風船に接触した瞬間は図３（Ｂ）のようになる。丸みを帯びた風船の頂上部から外れた位置に遊戯手段が伸張してくるため、針状体ではなくキャップ体が風船に接触することになる。この場合、針状体に風船が貫かれることは無く、遊戯課題は達成できなかったことになる。なお、キャップ体が風船表面に接触した後も遊戯手段を押し込むと、やがて針状体が風船表面に到達して風船が破裂することになるが、実際にはキャップ体が風船に接触したことを遊戯手段の備えるセンサで検出して遊戯手段の伸張を停止するので、適切な位置に遊戯手段が誘導されなかった際に風船が破裂させられることは無い。
【００２２】
このような構成によると、シールド板に設けた標的穴のように、遊戯者から見て明らかに小さな標的ではなく、遊戯者から見て極めて大きな膨らませた風船が標的となるので、初心者の遊戯者にも「これならば自分でも遊戯課題を達成できそうだ」というような遊戯意欲を惹起させることが出来る。一方で、実際の遊戯課題達成の難度、すなわち、遊戯者がどれだけ正確に遊戯手段を移動して位置決めしなければならないかは、キャップ体と針状体の設定によって適宜調整することが可能である。従って、遊戯施設等が適切な利益を確保可能な適切難易度の景品獲得ゲーム機のサービスを提供することが可能である。また、様々に彩色された風船は、各種景品獲得ゲーム機が運用されている遊戯施設の中においても遊戯者の注目を集め易く、また、吊下展示される景品は、その形状や大きさ等の自由度も高く、これらの高さを変えて立体的で華やかに展示することも容易である。従って、全体として、数ある景品獲得ゲーム機の中でも、初心者を含む多くの遊戯者の注目を集め、これで遊戯してみようという遊戯意欲を惹起させることの出来る優れた景品獲得ゲーム機とすることができる。
【００２３】
風船載置台は、典型的には図４に示すように膨らませた風船の直径よりも小さな直径の穴（風船支持穴）を備えた棚板状の構造とされる。膨らませた風船を風船支持穴にはめ込むように載置することで風船を支持することができる一方で、破裂した風船はこの穴から落下することになる。なお、風船載置台はこの構造に限られるものではなく、水平に二本の棒を平行に設けてこの間で風船を支持することで実現しても良く、あるいは、針金その他によって風船を支持可能なリングを構成することで実現しても良い。要は、膨らませた風船を支持可能であり、かつ、この風船が破裂した際には落下するという機能を実現可能な載置台が実現されれば良いのである。
【００２４】
風船には景品吊下ロープが取り付けられ、この景品吊下ロープの下端には景品が取り付けられる。これにより、風船が風船載置台に載置されると、この風船から垂れ下がる景品吊下ロープによって景品が吊下展示されることになる。遊戯者が首尾よく遊戯手段を操作して風船を破裂させることに成功すると、風船と共に景品が落下して、これらが遊戯者に払い出されることは言うまでもない。なお、景品獲得ゲーム機にとって、遊戯空間内に展示される景品は、遊戯者の遊戯意欲を惹起する働きをする重要な意匠の一部である。また、本発明に係る景品獲得ゲーム機においては、色とりどりの風船も、景品獲得ゲーム機の遊戯空間内を彩る意匠であり、これらはいずれも遊戯者から明瞭に視認できるように設置される。
【００２５】
ところで、風船と景品吊下ロープの接続方法は任意であるものの、好ましくはロック付きクリップを用いることが好ましい。ロック付クリップとは、膨らませた風船の口と景品吊下ロープをあわせて挟み込んだ上で圧力を加えると、風船の口と景品吊下ロープを締め付けた状態でロック機構によって固定するというものであり、膨らませた風船の封止と景品吊下ロープの取付を一度に行なうことが出来る。風船の口の封止と景品吊下ロープの取り付けは、手間を要する作業であって、大量の景品を使用する大型の遊戯施設にとっては大きな負荷になり得るものであるので、これを簡単に実施できるロック付クリップを用いる方法は好ましい手段である。なお、ロック付クリップとしては、例えば、株式会社鈴木ラテックス製の「しばらずパッチン」や、同社が製造販売するの風船とロック付クリップのセットである「パッチンＹＯＹＯ」を使用することが出来る（「しばらずパッチン」及び「パッチンＹＯＹＯ」は株式会社鈴木ラテックスの登録商標である）。これらは、主に水ヨーヨーで使用する風船及びロック付クリップであるが、これらはいずれも本発明において使用することが可能なものである。
【００２６】
なお、景品吊下ロープは、その名称に関わらず様々なものを使用することが出来る。典型的にはナイロンやポリエステル製のロープを使用することが出来るのであるが、これに商品吊下展示用フックピンを用いることも好ましい実施形態の一つである。商品吊下展示用フックピンとしては、例えば、タグメイトフックピン（「タグメイト」はエスジー工業株式会社の登録商標）を利用できる。これは、細長い樹脂製の物品であって、一端に抜け止めを備え、他端にフックを備えているものである。このフックピンをロック付クリップで風船の口を封止すると同時に取り付けると、これが他端に備えるフックに容易に景品を取り付けることが可能であるので頗る便利である。また、このようなフックピンのうち表面が滑らかに作られているものについては、風船の口にあらかじめ抜け止め部分を挿入しておいた上で風船を膨らませ、このままロック付クリップで風船の口を封止すると共にフックピンの固定を行なうことが出来る。このようにすることの利益は、抜群の作業性にあり、熟練していない作業者であっても容易にすばやく景品吊下ロープが取り付けられた膨らまされた風船を準備することが可能となる。
【００２７】
上記に風船と景品吊下ロープの取り付け構造について説明したが、本発明においては上記以外の方法で風船と景品吊下げロープを取り付けることが可能であることは言うまでもない。例えば、ナイロン製等のロープを風船の口に挿入しておいた上で風船を膨らませてこのままロック付クリップで風船の口を封止するとともにロープの固定を行なってもかまわないし、あるいは、膨らませて口を封止した風船の口付近の部分に商品吊下展示用フックピンを打ち込むことによって固定してもかまわない。あるいは、比較的規模が小さくてあまり多くの景品の吊下展示を行なわない場合には、ロープを膨らませた風船に都度くくりつけてもなんら支障は無い。
【００２８】
ところで、景品吊下ロープと景品の取り付けは、これらを直接取り付けることも可能であるが、景品に何らかの中継手段を取り付けた上で、この中継手段と景品吊下ロープを接続することで間接的に景品を取り付けることをも含んでいる。
【００２９】
中継手段を用いることの利点は、景品の種類や大きさによらずに、共通の景品吊下ロープによって容易かつすばやく景品を吊下展示することができ、すばやい景品の補充や交換の実現を通じたカットゲーム機の稼働率向上が図れる点、及び、作業者によらず安定した吊下展示が実現される点にある。例えば、大型のぬいぐるみのような景品の場合には、景品吊下ロープを縛り付けることによって取り付けることができるが、このような作業には時間を要するし、景品の大きさや作業者の技量によって縛り付けたロープの長さがまちまちとなり、吊下展示した際の景品の高さが変化してしまうことになる。また、化粧箱に納められた景品をそのまま吊下展示する場合、硬い化粧箱を景品吊下ロープで安定して縛りつけるには相当の技量が必要であり、作業者にさらに負担を掛けてしまうのみならず、外観上も好ましくない結果となりやすい。一方、景品の大きさや種類によって適切な中継手段を用いれば、このような課題はすべて解消する。
【００３０】
中継手段としては、先の例と同じく、タグメイトフックピンを利用できる。抜け止めを備えた部分をぬいぐるみ等の景品に打ち込むことで容易かつすばやくフックを取り付けることができ、これを景品吊下ロープ下端に設けたループに取り付けることができる。このような中継手段は多くの小売店で様々な商品を吊下展示して販売する際に用いられているものであり、当然に様々な物品に対応したものが安価に流通している。これらを使用することで景品の取り付けは極めて簡単かつすばやく行えるし、作業者によってロープの長さがまちまちになるような不具合も発生しない。
【００３１】
（２）以上説明した課題を解決するため、本発明においては、
少なくとも一部が透明または半透明の素材で遮蔽された遊戯空間内に、遊戯者の操作によって少なくとも２方向に移動可能な遊戯手段を備え、該遊戯空間内に配置された景品を遊戯者に払い出し可能である景品獲得ゲーム機に取り付け可能な景品獲得ゲーム機用キットにおいて、
該遊戯手段に取り付け可能とされた、キャップ体と針状体と、
該遊戯空間内に取り付け可能とされた、風船載置台と、
からなり、
該キャップ体は略円形または略多角形形状の開口部を備え、
該針状体はその先端部を該キャップ体の開口部の中心部付近に設定可能とされ、
該風船載置台下部には、該風船に接続された景品吊下ロープに取り付けられた景品を遊戯者から視認可能な状態で吊下展示可能とされている、
ことを特徴とする、景品獲得ゲーム機用キットとしている。
【００３２】
すでに説明した通り、遊戯空間内に膨らませた風船を支持し、これに接続した景品吊下ロープによって景品を吊下展示する構成には、初心者を含む遊戯者の注目を集め、遊戯意欲を惹起させることが出来るという優れた特徴がある。ところで、従来より、少なくとも一部が透明または半透明の素材で遮蔽された遊戯空間内に、遊戯者の操作によって少なくとも２方向に移動可能な遊戯手段を備えていて、遊戯空間内に展示されている景品を払い出し可能とされた景品獲得ゲーム機は多く存在する。このような景品獲得ゲーム機の中には、陳腐化して集客力を喪失したものも少なくない為、簡単な改修を施して集客力に優れる（１）に記載の景品獲得ゲーム機として利用できると、遊戯施設にとって大きな利益となる。
【００３３】
そこで、従来の景品獲得ゲーム機の遊戯手段に取り付け可能なキャップ体と針状体と、その遊戯空間内に取り付け可能な風船載置台とからなる景品獲得ゲーム機用キットがあれば、これを従来の景品獲得ゲーム機に取り付けることで、（１）に記載の景品獲得ゲーム機として利用可能となる。もちろん、従来のすべての景品獲得ゲーム機にこのような改修を適用可能というわけではないものの、陳腐化した景品獲得ゲーム機の一部を集客力に優れた新しい景品獲得ゲーム機として継続使用することが可能になることは、遊戯施設にとって非常に価値が高いことである。
【００３４】
なお、キャップ体や針状体、風船載置台等についての詳細は、ほぼ（１）と同様とすることができる。もっとも、これら景品獲得ゲーム機用キットは、専用の筐体ではなく、従来の景品獲得ゲーム機への取付を可能にするための特有の固定具等を備える必要があるが、これは本発明に特有の構造ではなく、当業者であれば当然に容易に想達できる単なる設計の範囲にて実現できる程度のものである。
【００３５】
（３）以上説明した課題を解決するため、本発明においては、
前記針状体は遊戯手段にネジ機構によって取り付けられており、前記キャップ体開口部からの該針状体の突出量を調整可能とされている
ことを特徴とする、（１）に記載の景品獲得ゲーム機、または、（２）に記載の景品獲得ゲーム機用キットのいずれかとしている。
【００３６】
すでに説明した通り、キャップ体と針状体は本発明に係る景品獲得ゲーム機の遊戯課題の難度を決める非常に重要な構成部材である。図３（Ａ）に示す通り、遊戯者が遊戯手段を膨らまされた風船の頂上部真上に正確に位置決めした場合には、キャップ体の開口部から針状体の先端部が多少引っ込んだ状態とされていても風船を破裂させて遊戯課題を達成することが出来る。逆に、遊戯手段の位置決めが不正確であれば、図３（Ｂ）に示す通り、キャップ体の開口部から針状体の先端部が相当に突出していたとしても風船を破裂させることは出来ない。
【００３７】
要は、キャップ体の開口部からどの程度針状体の先端部を突出させるか（あるいは引っ込ませるか）によって、遊戯課題の難度を決定できるのであるが、そもそも景品獲得ゲーム機の遊戯課題の難度をどのように設定するかは、遊戯施設がその方針や使用する景品、客層等に応じて設定するべきものであるから、これを遊戯施設自ら調整可能であることが好ましい。そこで、針状体と遊戯手段の取り付けはネジ機構によって行なうことし、針状体を遊戯手段にねじ入れる量（回転量）によって針状体の先端がキャップ体の開口部から突出している（あるいは引っ込んでいる）量を調整可能としている。
【００３８】
なお、針状体を取り付ける遊戯手段の部分を比較的軟質の樹脂製とした場合などは、針状体のネジ機構をねじ込む際の摩擦によって十分に固定され、容易に緩みを生じることは無い。一方、針状体を取り付ける遊戯手段の部分が金属製であらかじめネジが切られている場合などは、使用中に緩みを生じて針状体の突き出し量が変化してしまうことが懸念されるが、このような場合には適宜緩み止めナットを備える等することができる。
【００３９】
（４）以上説明した課題を解決するため、本発明においては、
前記針状体は注射針とされている、
ことを特徴とする、（１）〜（３）のいずれかに記載の景品獲得ゲーム機、または、景品獲得ゲーム機用キットとしている。
【００４０】
本発明に係る景品獲得ゲーム機においては、針状体の先端部が膨らまされた風船を貫き破裂させることで、風船から景品吊下ロープによって吊下げられた景品が払い出される。当然に、針状体が膨らまされた風船に接触した際に、確実に風船を貫き破裂させることが出来ることが求められるのであるが、一方で、この風船は意図せず容易に破裂してしまうことがあってはならない。また、それなりの重量のある景品が取り付けられた景品吊下ロープを支持するのであるから、優れた強度を備えていなければならない。強度に優れた風船は、当然に破裂しにくい傾向があるので、針状体はその先端部が貫通性に優れた極めて鋭いものである必要である。
【００４１】
そこで、針状体を注射針で構成することが好ましい。単純な針では点状にピンホールを穿つ作用しか得られないため、良く尖った鋭い針であっても強度に優れた風船を貫けなかったり、あるいは、まさにピンホールが形成されるのみでその後長時間を掛けて風船がしぼむといった状態に陥ることがある。一方で、注射針は単なるピンではなく円菅であるので、これを斜めにカットして得た注射針は穴を穿つ作用に加えてカットされた円菅のエッジに沿ってこの穴を切り開く作用が得られるので、強度に優れた風船であっても確実に破裂させることができるからである。
【００４２】
なお、注射針の先端形状には様々なものがあるが、いわゆるＫ−３ランセットポイントとされているものは好ましいものの例である。これは、円菅を斜めにカットして得た刃面の左右に小さな第二刃面を形成したもので、穿孔抵抗が低く切れ味が鋭いために皮下注射針として広く使用されているが、この特徴は強度に優れた風船を確実に破裂させる上でも頗る都合が良い。とくに、膨らませた風船のゴムが経時劣化すると単純な針で穿孔しても破裂に至らなくなる場合があるが、穿孔作用に加えてこれを切り開く作用に優れるＫ−３ランセットポイントとされた注射針では、確実に破裂に至らせることができる。なお、針状体に使用する注射針は、医療用のものである必要は全く無く、動物用や産業用など、任意の用途のものを選択して使用することが可能である。
【００４３】
（５）以上説明した課題を解決するため、本発明においては、
前記キャップ体は透明樹脂製とされている、
ことを特徴とする、（１）〜（４）のいずれかに記載の景品獲得ゲーム機、または、景品獲得ゲーム機用キットとしている。
【００４４】
本発明に係る景品獲得ゲーム機においては、キャップ体が遊戯課題の難度を定める重要な機能を担っている。一方で、キャップ体は針状体の周りを覆うように配置されるため、遊戯者から針状体が視認されにくくなってしまう。針状体で膨らまされた風船を貫き破裂させることが遊戯課題であるので、キャップ体によって針状体が視認しにくくなることは、遊戯者が遊戯課題を直感的に理解することを妨げることになってしまう。また、針状体の尖った先端部を明瞭に視認できないと、遊戯者が容易に風船を破裂させることが出来そうだという期待感を抱くことの障害にもなり、よって、遊戯意欲の低下も懸念されることになる。
【００４５】
そのため、本発明においてはキャップ体を透明樹脂で構成することが好ましい。このようにすれば、キャップ体で周囲を覆われているにも関わらず、遊戯者が良好に針状体を視認することが可能になるからである。
【００４６】
また、図２に示したようにキャップ体の側面に穴を設けて、この穴から遊戯者が針状体を視認可能とすることも好ましい施策である。このようにすると、透明度に劣る樹脂によってキャップ体を構成することが出来るのみならず、キャップ体に様々な彩色を施して華やかな外観とすることができるといった利益がある。
【００４７】
（６）以上説明した課題を解決するため、本発明においては、
前記キャップ体がワイヤフレームによって構成されている、
ことを特徴とする、（１）〜（４）のいずれかに記載の景品獲得ゲーム機、または、景品獲得ゲーム機用キットとしている。
【００４８】
キャップ体は、その開口部の縁が針状体の先端よりも先に風船に接触することによって、本発明に係る景品獲得ゲーム機の遊戯課題の難度を調整する。従って、キャップ体は本質的には開口部の縁がその機能を有している部分であり、これ以外の部分は直接的な機能を有していない部分である。そこで、ワイヤフレーム、すなわち、針金等の細い部材で開口部の縁部分を構成し、これを所定の位置で、やはり針金等の細い部材によって遊戯手段に取り付けた構成は、キャップ体の好ましい態様の一つである。このようにキャップ体を構成した例を図３（Ｂ）に示す。図から明らかな通り、キャップ体の側面は針金等の細い部材が存在するのみであってその内側を良好に視認できる事から、このようにすれば、遊戯者が針状体を良好に視認することが出来るという効果を奏する。
【００４９】
（７）以上説明した課題を解決するため、本発明においては、
前記風船載置台は、前記遊戯空間内に設けられた風船載置台支持パイプ上に取り付け可能とされている、
ことを特徴とする、（１）〜（６）のいずれかに記載の景品獲得ゲーム機、または、景品獲得ゲーム機用キットとしている。
【００５０】
本発明に係る景品獲得ゲーム機では、その遊戯空間内に景品が吊下展示される。景品を吊下展示することの利点は、大小や形状に関わらず様々な景品を利用できることや、景品吊下ロープの長さを変えることによって様々な高さに景品を立体的に展示することが容易であることが挙げられる。これに加えて、景品を吊下展示することは本質的には高密度に多数の景品を展示可能であり、これは景品獲得ゲーム機の華やかな外観の実現にも関わる重要な特徴であるが、実際にこれを実現するには景品に応じた密度で、つまり、大型景品であれば間隔を大きく、小型景品であれば間隔を狭くするなどして景品を吊下展示できる必要がある。
【００５１】
このような機能を実現するため、風船載置台にはモジュール構造を採用することが出来る。すなわち、風船の直径よりも小さな直径の穴である風船載置穴を備えた風船載置台を独立した部品として準備し、これを、遊戯空間内に水平に設けた、２本の平行な風船載置台支持パイプの上に取り付ける構成とする。風船載置台には、風船載置台支持パイプと接する部分に溝構造を設けておき、この溝構造が風船載置台支持パイプと係合することで安定的に固定されるようにしている。この構造であれば、風船載置台支持パイプに沿って任意の位置に風船載置台を取り付けることが可能であり、その個数も任意とすることができる。従って、使用する景品の大きさ等に応じて必要なだけの風船載置台を風船載置台支持パイプ上の適切な位置に取り付けて、最適な景品の吊下展示を実現することが出来るのである。
【００５２】
（８）以上説明した課題を解決するため、本発明においては、
前記風船載置台には、遊戯空間内で遊戯者から見て風船載置部の左右それぞれに景品姿勢保持具を取り付け可能とされた景品姿勢保持具取付部が設けられている
ことを特徴とする、（１）〜（７）のいずれかに記載の景品獲得ゲーム機、または、景品獲得ゲーム機用キットとしている。
【００５３】
本発明に係る景品獲得ゲーム機において、遊戯空間内に景品吊下ロープによって吊下展示される景品は上下方向の位置（高さ）はロープの長さ等によって決まる安定したものであるが、吊下展示された景品の姿勢、例えば、景品のどの面が景品獲得ゲーム機の正面側（遊戯者側）を向いているのかの制御は困難である。例えば、大型のぬいぐるみのような景品では、ぬいぐるみの正面が景品獲得ゲーム機の正面方向を向いて直立しているような姿勢で吊下展示されることが好ましい。しかし、景品吊下ロープによって吊下展示されるぬいぐるみの方向をこのように定めることは容易でない。運よく、ぬいぐるみを良好な姿勢で吊下展示することに成功したとしても、振動その他の影響によって回転してしまうこともあり、そのような姿勢を維持することはほとんど不可能だからである。
【００５４】
この課題に対して、本願発明者は自身の発明に係る景品姿勢保持具によって対処している。すなわち、図５に示すような形状の景品姿勢保持具を吊下展示される景品の背面に接触させることで、景品の回転等を抑制して良好な姿勢を保持させるというものである。このような景品姿勢保持具を景品を吊下げた風船と共に風船載置台に取り付け可能とするため、風船載置台の風船載置部の左右それぞれに景品姿勢保持具のフック部分を掛けられる景品姿勢保持具固定部を備えることとしている。なお、景品姿勢保持具の取付手段がフックである場合には、図４に示すようにフックを掛けられる穴等が景品姿勢保持具固定部となるが、景品姿勢保持具の取付手段が磁石である場合には、景品姿勢保持具固定部に鉄やフェライト系ステンレス、マルテンサイト系ステンレスのように磁石につく素材を取り付けておくことが出来る。要は、景品姿勢保持具に対応してこれを取り付け可能な構造が風船載置台に設けられていれば良いのである。
【発明の効果】
【００５５】
（１）遊戯者の操作によって少なくとも２方向に移動可能な遊戯手段にキャップ体と針状体を備え、遊戯空間内には膨らまされた風船が載置可能とされた風船載置台を備えたので、大きな風船を標的としつつも、標的穴を備えたシールド板を用いずに遊戯課題達成の難度を設定可能となる。これにより、初心者の遊戯者に対しても遊戯してみようという遊戯意欲を惹起することができるとともに、上級者である遊戯者が楽しめるだけの遊戯性の確保も図れ、もって、遊戯施設が適切な利益を確保することが可能になるという効果が得られる。
【００５６】
また、風船載置台に風船支持穴をもうけ、これに膨らませた風船を支持させることとしたので、平常時は風船が風船載置台上に支持される一方で、遊戯者が首尾よく遊戯手段を操作して風船を破裂させることに成功した際には、破裂した風船が落下し、これから吊下展示された景品と共に遊戯者に払い出されることになる。このように、風船を破裂することと景品の払い出しが極めて直接的に結びついており、かつ、この関係が直感的に遊戯者に理解されることから、遊戯者が遊戯内容について戸惑いを覚えたり、あるいは、疑義を感じたりすること無く、躊躇無く遊戯を行なえる景品獲得ゲームとすることができる。
【００５７】
風船に景品吊下ロープが接続され、これに景品が吊下展示される構成としたので、大きさや形状によらず様々な景品を使用することが可能であり、また、景品吊下ロープの長さを変えることで様々な高さに景品を吊下展示することも自在となる。また、様々な色彩に着色された風船とこれら立体的に吊下展示される景品により、景品獲得ゲーム機の遊戯空間を極めて華やかな印象とすることが容易であり、視覚を通じた意匠的効果によって多くの種類の景品獲得ゲーム機の中にあっても、より多くの遊戯者の興味をひきつけることが出来る。
【００５８】
また、風船と景品吊下ロープの接続を、ロック付クリップで風船の口の封止と同時に行なうこととしたので、容易かつすばやい作業が可能となり、遊戯施設の作業者の負担を軽減できるという効果が得られる。さらに、景品吊下ロープを商品吊下展示用フックピンによって実現した場合は、風船の口にあらかじめ景品吊下展示用フックピンの抜け止め部分を挿入しておいた上で風船を膨らませ、そのままロック付クリップで風船の口を封止するという作業が可能であり、益々の作業性の向上が図れる。
【００５９】
景品吊下ロープと景品の接続を、中継手段を用いて行うこととしたので、景品の種類によらずに容易かつすばやく景品を吊下展示することが出来、すばやい景品の補充や交換の実現を通じた景品獲得ゲーム機の稼働率向上が図れる。
【００６０】
（２）遊戯者の操作によって少なくとも２方向に移動可能な遊戯手段に取り付け可能なキャップ体と針状と、遊戯空間内に設置して膨らまされた風船を載置可能とされた風船載置台とからなる景品獲得ゲーム機用キットとしたので、陳腐化して集客力を喪失した景品獲得ゲーム機に簡単な改修を施して集客力に優れた景品獲得ゲーム機として再利用できることになる。これにより、遊戯施設が大きな投資を行わずに、集客力を回復できるという効果を奏する。
【００６１】
（３）針状体を遊戯手段にネジ機構によって取り付けることとし、これのキャップ体開口部からの突出量を調整可能としたので、景品獲得ゲーム機を運用する遊戯施設がその方針や使用する景品、客層等に応じて、遊戯課題の難度を設定することが可能となる。
【００６２】
（４）針状体を注射針によって構成したので、優れた強度を備えた風船を使用している場合であっても、針状体の先端部がこれに触れた際に確実に破裂させることが可能となる。また、注射針は様々な規格の物が市場に多く流通しており、価格や入手製の点でも申し分ない。
【００６３】
なお、注射針の先端形状とて、いわゆるＫ−３ランセットポイントとされているものを使用すると、単純な針で穿孔しても破裂に至りにくい経時劣化した風船であっても確実に破裂に至らせることができるという効果が得られる。
【００６４】
（５）キャップ体は透明樹脂製としたので、キャップ体によって周りを覆われるにも関わらず針状体が遊戯者から明瞭に視認されることになる。これによって、遊戯者が遊戯課題を直感的に理解することが可能となる。また、針状体の尖った先端部を明瞭に視認できるので、遊戯者が容易に風船を破裂させることが出来そうだという期待感を抱きやすい。これらを通じて、遊戯者の遊戯意欲を維持することが出来る。
【００６５】
また、キャップ体の側面に穴を設けることで、この穴から遊戯者が針状体を視認可能としたので、上記と同様の効果が得られるほか、キャップ体自体に様々な彩色を施して華やかな外観とし、より遊戯者の注目を集める意匠的効果を得ることができる。
【００６６】
（６）キャップ体をワイヤフレームによって構成したので、遊戯者はワイヤの間から針状体を明瞭に視認することが可能であり、上記と同様の効果が得られる。
【００６７】
（７）風船載置台を遊戯空間内に設けられた風船載置台支持パイプ上に取り付け可能としたので、風船載置台支持パイプに沿って任意の位置に風船載置台を取り付けることが可能であり、その個数も任意とすることができる。これにより、使用する景品の大きさ等に応じて必要なだけの風船載置台を遊戯空間内に備えて、最適な景品の吊下展示を実現することが出来る。
【００６８】
（８）風船載置台に景品姿勢保持具を取り付け可能とされた景品姿勢保持具固定部を設けたので、ここに景品姿勢保持具を取り付けて、吊下展示される景品の姿勢を常に適正な状態に保つことが出来る。これにより、景品がもっとも魅力的に見える向きに安定して景品を吊下展示することが可能となるので、遊戯者に益々の遊戯意欲を惹起させることが出来る。
【図面の簡単な説明】
【００６９】
【図１】本発明の実施方法を示した説明図である。
【図２】本発明の遊戯手段の実施方法を示した説明図である。
【図３】本発明の遊戯課題達成条件を示す説明図である。
【図４】本発明の風船載置台の実施方法を示した説明図である。
【図５】景品姿勢保持具の実施方法を示した説明図である。
【図６】風船と景品吊下ロープの接続の様子を示した説明図である。
【図７】プッシャーゲーム機の一実施例を示した説明図である。
【図８】カットゲーム機の一実施例を示した説明図である。
【図９】カットゲーム機の遊戯方法を示した説明図である。
【発明を実施するための形態】
【００７０】
以下、図面を用いて本発明に係る景品獲得ゲーム機について詳しく説明する。
【実施例１】
【００７１】
図１は、本発明に係る景品獲得ゲーム機の一実施例を示した説明図である。また、図２（Ａ）には当該景品獲得ゲーム機の遊戯手段の一部分の詳細を示している。さらに、図４には、当該景品獲得ゲーム機内に備えられる風船載置台等の詳細を示している。
【００７２】
すでに実用に供せられている多くの景品獲得ゲーム機と同様に、景品獲得ゲーム機（１）は、透明素材で遮蔽された遊戯空間（４）の中に、遊戯者の操作によって左右方向及び前後方向に移動可能とされた遊戯手段（６）を備えている。遊戯手段（６）は図に表れていない景品獲得ゲーム機の天井部付近に備えられた二軸のスライドユニットによって駆動される。また、遊戯手段（６）には径の異なる数種類のパイプが入れ子構造とされた伸縮パイプを備え、その先端には、針状体（２０）及びキャップ体（２１）を備えている。図２（Ａ）に現れている針状体（２０）は、Ｋ−３ランセットポイントの注射針で構成しており、その根元をネジ機構で固定している。ネジ機構で固定しているため、針状体（２０）を回転させることで突き出し量を自由に調整することが出来る。また、樹脂製のキャップ体（２１）には図に示したとおり側面に穴が設けられており、遊戯者から内側の針状体（２１）を良好に視認できる。
【００７３】
景品獲得ゲーム機（１）の筐体の外側には操作手段（３）を備え、遊戯者はこれを使用して遊戯手段（６）の操作を行なう。また、遊戯者が首尾よく遊戯課題を達成した場合には、景品払出口（２）から景品が払い出される。
【００７４】
さて、遊戯空間（４）内には、風船載置台支持パイプ（２６）を備えている。これは、遊戯空間（４）内を左右方向に平行に二本のパイプを取り付けたものであるが、遊戯空間（４）の大きさなどに応じてより多くの風船載置台支持パイプ（２６）を備えることも可能である。
【００７５】
風船載置台支持パイプ（２６）上には、風船載置台（２２）が載置される。風船載置台（２２）が風船載置台支持パイプ（２６）から容易に落下することが無いよう、風船載置台（２２）の裏面端部に設けられた係合溝（２５）が風船載置台支持パイプ（２６）と係合するようにされている。これにより、風船載置台（２２）は容易には落下することはないが左右方向に任意の位置に任意の個数を取り付けることができる。
【００７６】
図４に詳細が現れている通り、風船載置台（２２）には、風船載置穴（２３）が設けられ、風船（２７）が載置される。また、風船載置穴（２３）の左右には景品姿勢保持具取付部（２４）が設けられており、ここに景品姿勢保持具（１３）が掛けられる。
【００７７】
風船（２７）には、景品吊下ロープ（２９）が取り付けられている。景品吊下げロープ（２９）はその名称に関わらず、エスジー工業株式会社のタグメイトフックピン（「タグメイト」はエスジー工業株式会社の登録商標）を使用しており、風船に抜け止め部を差し入れた状態で膨らませ、風船の口部分をロック付クリップで止めることで封止と景品吊下ロープの取り付けを同時に行なっている。このような手順であれば、熟練していない作業者であっても用意にすばやく風船と景品吊下ロープの接続を行なうことが出来る。なお、この部分の詳細は図６にも現れている。
【００７８】
風船（２７）に取り付けられてた景品吊下ロープ（２９）には、景品（５）に取り付けられた中継手段（３０）が取り付けられている。この実施例では、中継手段（３０）にもタグメイトフックピンを使用し、これの抜け止めを備えた部分を景品（５）に打ち込むことで取り付けている。そして、これの他端に設けられているフック部分を景品吊下ロープ（２９）のフックと掛けることで取り付けを行っている。
【００７９】
景品吊下ロープ（２９）及び中継手段（３０）によって吊下展示されている景品（５）はそのままでは回転してしまったりするため、その正面が遊戯者の方を向く状態で安定させることは困難であるが、景品姿勢保持具（１３）が景品（５）の背面に二箇所で接触して回転を阻止するため、景品（５）の向きは常に適正な状態に保たれる。
【００８０】
以上説明した実施例に係る景品獲得ゲーム機では、遊戯者が操作手段（３）によって遊戯手段（６）を操作し、風船（２７）の真上に遊戯手段（６）を位置決めして停止させることに成功すると、その後、針状体（２０）とキャップ体（２１）を含む部分が下方向に伸張し、図３（Ａ）に示すように風船（２７）と接触する。Ｋ３−ランセットポイントの注射針からなる針状体（２０）は対象を穿孔してこの穴を切り開く能力に優れており、確実に風船（２７）を破裂させる。そうすると、これに接続されていた景品吊下ロープ（２９）、中継手段（３０）、景品（５）は落下し、景品払出口（２）から遊戯者に払い出されることになる。
【００８１】
一方、遊戯者が遊戯手段（６）を適切な位置に位置決めすることに失敗すると、図３（Ｂ）のように針状体（２０）は風船（２７）に接触することなく、キャップ体（２１）が風船（２７）に触れたところで遊戯課題達成に失敗されたと判定されることになる。
【００８２】
このように、本発明に係る景品獲得ゲーム機では、遊戯者が遊戯手段を操作して狙うべきは風船という大きな標的である。そして、この大きな標的と遊戯手段の間に、標的穴を備えたシールド板のような難度を調整する部材を全く備えていないにも関わらず、一定の範囲内に遊戯手段を位置決めしないと遊戯課題が達成されないという適度な難度を備えている。また、遊戯空間内に載置される風船や吊下げ展示された景品は遊戯者の注目を浴び易く、多くの景品獲得ゲーム機の中にあっても十分な存在感のある景品獲得ゲーム機となっている。さらに、風船を針状体で破裂させれば景品が払い出されるという、直感的に理解できる遊戯課題や、遊戯課題が達成できた瞬間（風船が破裂した瞬間）に景品が払い出されるという派手さや達成感など、景品獲得ゲーム機に必要な様々な要素を備えているもの優れた発明である。
【産業上の利用可能性】
【００８３】
以上のように、本発明は遊戯課題達成時の爽快感を遊戯者に与えることができ、かつ、初心者である遊戯者にも遊戯課題を達成できそうであると感じさえることができ、さらに、多くの景品獲得ゲーム機の中でも遊戯者の注目を得られるような景品獲得ゲーム機を提供するものであり、産業上の利用可能性は極めて高い。
【符号の説明】
【００８４】
１      景品獲得ゲーム機
２      景品払出口
３      操作手段
４      遊戯空間
５      景品
６      遊戯手段
７      景品吊下パイプ（吊下手段）
８      吊下フック  
９      ロープ
１０    切断手段
１１    案内パイプ
１２    案内手段
１３    景品姿勢保持具 
１４    取付手段
１５    柱体
１６    ブリッジ部
１７    景品載置板  
１８    標的穴
１９    シールド板
２０    針状体  
２１    キャップ体
２２    風船載置台
２３    風船載置穴
２４    景品姿勢保持具取付部
２５    係合溝
２６    風船載置台支持パイプ
２７    風船
２８    ロック付クリップ
２９    景品吊下ロープ
３０    中継手段
【図１】
2018019979.tif 000003
【図２】
2018019979.tif 000004
【図３】
2018019979.tif 000005
【図４】
2018019979.tif 000006
【図５】
2018019979.tif 000007
【図６】
2018019979.tif 000008
【図７】
2018019979.tif 000009
【図８】
2018019979.tif 000010
【図９】
2018019979.tif 000011